(57)【要約】  本願はセル測定方法、端末装置及びネットワーク装置を開示し、該方法は、端末装置が前記端末装置のトラフィック情報、前記端末装置の優先度情報及び前記端末装置の装置情報のうちの少なくとも１つを含む前記端末装置の特定情報を確定することと、前記端末装置が前記特定情報に基づき、セル測定過程における測定パラメータを調整することと、前記端末装置が前記測定パラメータに基づき、測定動作を実行することと、を含む。これにより、該端末装置が様々な状況においてセル測定を行う際の測定ニーズ及び様々な端末装置がセル測定を行う際の測定ニーズをよりよく満足することができる。
2020530669.tif 000002
【特許請求の範囲】
【請求項１】
端末装置が前記端末装置のトラフィック情報、前記端末装置の優先度情報及び前記端末装置の装置情報のうちの少なくとも１つを含む前記端末装置の特定情報を確定することと、
前記端末装置が前記特定情報に基づき、セル測定過程における測定パラメータを調整することと、
前記端末装置が前記測定パラメータに基づき、測定動作を実行することと、を含むことを特徴とするセル測定方法。
【請求項２】
前記測定パラメータは、
測定イベントのヒステリシスパラメータ、測定イベントの臨界値パラメータ、測定結果を報告する時間間隔及びフィルタリングパラメータのうちの少なくとも１つを含むことを特徴とする請求項１に記載の方法。
【請求項３】
前記端末装置のトラフィック情報は、
前記端末装置のトラフィックタイプ情報、前記端末装置のサービス品質情報及び前記端末装置のトラフィック品質情報のうちの少なくとも１つを含むことを特徴とする請求項１又は２に記載の方法。
【請求項４】
前記端末装置のトラフィックタイプ情報は、
音声トラフィック、データトラフィック、緊急トラフィック、低遅延トラフィック及びスモールデータトラフィックのうちの少なくとも１つを含むことを特徴とする請求項３に記載の方法。
【請求項５】
前記端末装置のサービス品質情報は、
前記端末装置のトラフィックの遅延要件及び前記端末装置の伝送速度要件のうちの少なくとも１つを含むことを特徴とする請求項３又は４に記載の方法。
【請求項６】
前記端末装置のトラフィック品質情報は、
前記端末装置の現在トラフィックの遅延の大きさ及び前記現在トラフィックのスループットの大きさのうちの少なくとも１つを含むことを特徴とする請求項３〜５のいずれか１項に記載の方法。
【請求項７】
前記特定情報は前記端末装置の現在トラフィックの遅延であり、
前記端末装置が前記特定情報に基づき、セル測定過程における測定パラメータを調整することは、
前記現在トラフィックの遅延が第１閾値よりも大きい場合、前記端末装置がセル測定過程におけるフィルタリング時間を短縮し、及び／又は測定結果を報告する時間間隔を短縮することを含むことを特徴とする請求項１〜６のいずれか１項に記載の方法。
【請求項８】
前記特定情報は前記端末装置の現在トラフィックのスループットであり、
前記端末装置が前記特定情報に基づき、セル測定過程における測定パラメータを調整することは、
前記現在トラフィックのスループットが第２閾値よりも小さい場合、前記端末装置がセル測定過程におけるフィルタリング時間を短縮し、及び／又は測定結果を報告する時間間隔を短縮することを含むことを特徴とする請求項１〜６のいずれか１項に記載の方法。
【請求項９】
前記特定情報は前記端末装置の装置情報であり、
前記端末装置が前記特定情報に基づき、セル測定過程における測定パラメータを調整することは、
前記端末装置が省電力タイプの端末装置である場合、前記端末装置がセル測定過程における臨界値パラメータを減少させ、及び／又は測定結果を報告する時間間隔を延長することを含むことを特徴とする請求項１〜８のいずれか１項に記載の方法。
【請求項１０】
前記端末装置が前記測定パラメータに基づいて測定動作を実行することは、
前記端末装置が前記測定パラメータに基づき、前記端末装置の位置するサービスセル及び／又は隣接セルを測定すること、又は
前記端末装置が測定結果に基づいて報告すること、又は
前記端末装置が前記測定結果に基づいてセルを切り換えることを含むことを特徴とする請求項１〜９のいずれか１項に記載の方法。
【請求項１１】
ネットワーク装置が端末装置のトラフィック情報、前記端末装置の優先度情報及び前記端末装置の装置情報のうちの少なくとも１つを含む前記端末装置の特定情報を確定することと、
前記ネットワーク装置が前記特定情報に基づき、セル測定過程における測定パラメータを調整することと、
前記端末装置が前記測定パラメータに基づいて測定動作を実行するために、前記ネットワーク装置が前記端末装置へ前記測定パラメータを送信することと、を含むことを特徴とするセル測定方法。
【請求項１２】
前記測定パラメータは、
測定イベントのヒステリシスパラメータ、測定イベントの臨界値パラメータ、測定結果を報告する時間間隔及びフィルタリングパラメータのうちの少なくとも１つを含むことを特徴とする請求項１１に記載の方法。
【請求項１３】
前記端末装置のトラフィック情報は、
前記端末装置のトラフィックタイプ情報、前記端末装置のサービス品質情報及び前記端末装置のトラフィック品質情報のうちの少なくとも１つを含むことを特徴とする請求項１１又は１２に記載の方法。
【請求項１４】
前記端末装置のトラフィックタイプ情報は、
音声トラフィック、データトラフィック、緊急トラフィック、低遅延トラフィック及びスモールデータトラフィックのうちの少なくとも１つを含むことを特徴とする請求項１３に記載の方法。
【請求項１５】
前記端末装置のサービス品質情報は、
前記端末装置のトラフィックの遅延要件及び前記端末装置の伝送速度要件のうちの少なくとも１つを含むことを特徴とする請求項１３又は１４に記載の方法。
【請求項１６】
前記端末装置のトラフィック品質情報は、
前記端末装置の現在トラフィックの遅延の大きさ及び前記現在トラフィックのスループットの大きさのうちの少なくとも１つを含むことを特徴とする請求項１３〜１５のいずれか１項に記載の方法。
【請求項１７】
前記特定情報は前記端末装置の現在トラフィックの遅延であり、
前記ネットワーク装置が前記特定情報に基づき、セル測定過程における測定パラメータを調整することは、
前記現在トラフィックの遅延が第１閾値よりも大きい場合、前記端末装置がセル測定過程におけるフィルタリング時間を短縮し、及び／又は測定結果を報告する時間間隔を短縮することを含むことを特徴とする請求項１１〜１６のいずれか１項に記載の方法。
【請求項１８】
前記特定情報は前記端末装置の現在トラフィックのスループットであり、
前記ネットワーク装置が前記特定情報に基づき、セル測定過程における測定パラメータを調整することは、
前記現在トラフィックのスループットが第２閾値よりも小さい場合、前記ネットワーク装置がセル測定過程におけるフィルタリング時間を短縮し、及び／又は測定結果を報告する時間間隔を短縮することを含むことを特徴とする請求項１１〜１６のいずれか１項に記載の方法。
【請求項１９】
前記特定情報は前記端末装置の装置情報であり、
前記ネットワーク装置が前記特定情報に基づき、セル測定過程における測定パラメータを調整することは、
前記端末装置が省電力タイプの端末装置である場合、前記ネットワーク装置がセル測定過程における臨界値パラメータを減少させ、及び／又は測定結果を報告する時間間隔を延長することを含むことを特徴とする請求項１１〜１８のいずれか１項に記載の方法。
【請求項２０】
端末装置であって、
前記端末装置のトラフィック情報、前記端末装置の優先度情報及び前記端末装置の装置情報のうちの少なくとも１つを含む前記端末装置の特定情報を確定するための確定ユニットと、
前記確定ユニットの確定した前記特定情報に基づき、セル測定過程における測定パラメータを調整するための処理ユニットと、
前記処理ユニットの調整した前記測定パラメータに基づき、測定動作を実行するための測定ユニットと、を備えることを特徴とする端末装置。
【請求項２１】
前記測定パラメータは、
測定イベントのヒステリシスパラメータ、測定イベントの臨界値パラメータ、測定結果を報告する時間間隔及びフィルタリングパラメータのうちの少なくとも１つを含むことを特徴とする請求項２０に記載の端末装置。
【請求項２２】
前記端末装置のトラフィック情報は、
前記端末装置のトラフィックタイプ情報、前記端末装置のサービス品質情報及び前記端末装置のトラフィック品質情報のうちの少なくとも１つを含むことを特徴とする請求項２０又は２１に記載の端末装置。
【請求項２３】
前記端末装置のトラフィックタイプ情報は、
音声トラフィック、データトラフィック、緊急トラフィック、低遅延トラフィック及びスモールデータトラフィックのうちの少なくとも１つを含むことを特徴とする請求項２２に記載の端末装置。
【請求項２４】
前記端末装置のサービス品質情報は、
前記端末装置のトラフィックの遅延要件及び前記端末装置の伝送速度要件のうちの少なくとも１つを含むことを特徴とする請求項２２又は２３に記載の端末装置。
【請求項２５】
前記端末装置のトラフィック品質情報は、
前記端末装置の現在トラフィックの遅延の大きさ及び前記現在トラフィックのスループットの大きさのうちの少なくとも１つを含むことを特徴とする請求項２２〜２４のいずれか１項に記載の端末装置。
【請求項２６】
前記特定情報は前記端末装置の現在トラフィックの遅延であり、
前記処理ユニットは具体的に、
前記現在トラフィックの遅延が第１閾値よりも大きい場合、セル測定過程におけるフィルタリング時間を短縮し、及び／又は測定結果を報告する時間間隔を短縮することに用いられることを特徴とする請求項２０〜２５のいずれか１項に記載の端末装置。
【請求項２７】
前記特定情報は前記端末装置の現在トラフィックのスループットであり、
前記処理ユニットは具体的に、
前記現在トラフィックのスループットが第２閾値よりも小さい場合、セル測定過程におけるフィルタリング時間を短縮し、及び／又は測定結果を報告する時間間隔を短縮することに用いられることを特徴とする請求項２０〜２６のいずれか１項に記載の端末装置。
【請求項２８】
前記特定情報は前記端末装置の装置情報であり、
前記処理ユニットは具体的に、
前記端末装置が省電力タイプの端末装置である場合、セル測定過程における臨界値パラメータを減少させ、及び／又は測定結果を報告する時間間隔を延長することに用いられることを特徴とする請求項２０〜２７のいずれか１項に記載の端末装置。
【請求項２９】
前記測定ユニットは具体的に、
前記測定パラメータに基づき、前記端末装置の位置するサービスセル及び／又は隣接セルを測定すること、又は
測定結果に基づいて報告すること、又は
前記測定結果に基づいてセルを切り換えることに用いられることを特徴とする請求項２０〜２８のいずれか１項に記載の端末装置。
【請求項３０】
端末装置のトラフィック情報、前記端末装置の優先度情報及び前記端末装置の装置情報のうちの少なくとも１つを含む前記端末装置の特定情報を確定するための確定ユニットと、
前記確定ユニットの確定した前記特定情報に基づき、セル測定過程における測定パラメータを調整するための処理ユニットと、
前記端末装置が前記測定パラメータに基づいて測定動作を実行するために、前記端末装置へ前記処理ユニットの調整した前記測定パラメータを送信するための送信ユニットと、を備えることを特徴とするネットワーク装置。
【請求項３１】
前記測定パラメータは、
測定イベントのヒステリシスパラメータ、測定イベントの臨界値パラメータ、測定結果を報告する時間間隔及びフィルタリングパラメータのうちの少なくとも１つを含むことを特徴とする請求項３０に記載のネットワーク装置。
【請求項３２】
前記端末装置のトラフィック情報は、
前記端末装置のトラフィックタイプ情報、前記端末装置のサービス品質情報及び前記端末装置のトラフィック品質情報のうちの少なくとも１つを含むことを特徴とする請求項３０又は３１に記載のネットワーク装置。
【請求項３３】
前記端末装置のトラフィックタイプ情報は、
音声トラフィック、データトラフィック、緊急トラフィック、低遅延トラフィック及びスモールデータトラフィックのうちの少なくとも１つを含むことを特徴とする請求項３２に記載のネットワーク装置。
【請求項３４】
前記端末装置のサービス品質情報は、
前記端末装置のトラフィックの遅延要件及び前記端末装置の伝送速度要件のうちの少なくとも１つを含むことを特徴とする請求項３２又は３３に記載のネットワーク装置。
【請求項３５】
前記端末装置のトラフィック品質情報は、
前記端末装置の現在トラフィックの遅延の大きさ及び前記現在トラフィックのスループットの大きさのうちの少なくとも１つを含むことを特徴とする請求項３２〜３４のいずれか１項に記載のネットワーク装置。
【請求項３６】
前記特定情報は前記端末装置の現在トラフィックの遅延であり、
前記処理ユニットは具体的に、
前記現在トラフィックの遅延が第１閾値よりも大きい場合、セル測定過程におけるフィルタリング時間を短縮し、及び／又は測定結果を報告する時間間隔を短縮することに用いられることを特徴とする請求項３０〜３５のいずれか１項に記載のネットワーク装置。
【請求項３７】
前記特定情報は前記端末装置の現在トラフィックのスループットであり、
前記処理ユニットは具体的に、
前記現在トラフィックのスループットが第２閾値よりも小さい場合、セル測定過程におけるフィルタリング時間を短縮し、及び／又は測定結果を報告する時間間隔を短縮することに用いられることを特徴とする請求項３０〜３６のいずれか１項に記載のネットワーク装置。
【請求項３８】
前記特定情報は前記端末装置の装置情報であり、
前記処理ユニットは具体的に、
前記端末装置が省電力タイプの端末装置である場合、セル測定過程における臨界値パラメータを減少させ、及び／又は測定結果を報告する時間間隔を延長することに用いられることを特徴とする請求項３０〜３７のいずれか１項に記載のネットワーク装置。
【発明の詳細な説明】
【技術分野】
【０００１】
本願の実施例は無線通信分野に関し、より具体的に、セル測定方法、端末装置及びネットワーク装置に関する。
【背景技術】
【０００２】
端末装置はセル測定を行うとき、一定の測定パラメータ、例えば測定臨界値、測定イベントのヒステリシスパラメータ等に基づいて行われるものであり、セルの測定結果と測定パラメータとの間は予め決められた関係を満たす場合、端末装置は対応する測定イベントを実行する。しかしながら、測定イベントにおける測定パラメータはすべての端末装置、例えばトラフィックタイプの異なる端末装置の測定ニーズを満足することができない。従って、どのように様々な端末装置がセル測定を行う際の測定ニーズを満足するかは早急な解決の待たれる課題となる。
【発明の概要】
【発明が解決しようとする課題】
【０００３】
本願の実施例は様々な端末装置がセル測定を行う際の測定ニーズを満足することができるセル測定方法、端末装置及びネットワーク装置を提供する。
【課題を解決するための手段】
【０００４】
第１態様では、セル測定方法を提供し、端末装置が前記端末装置のトラフィック情報、前記端末装置の優先度情報及び前記端末装置の装置情報のうちの少なくとも１つを含む前記端末装置の特定情報を確定することと、前記端末装置が前記特定情報に基づき、セル測定過程における測定パラメータを調整することと、前記端末装置が前記測定パラメータに基づき、測定動作を実行することと、を含む。
【０００５】
従って、端末装置は特定情報、例えば端末装置のトラフィック情報、端末装置の優先度情報及び端末装置の装置情報等に基づき、セル測定過程における測定パラメータを柔軟に調整することにより、該端末装置が様々な状況においてセル測定を行う際の測定ニーズ及び様々な端末装置がセル測定を行う際の測定ニーズをよりよく満足することができる。
【０００６】
可能な実現方式では、前記測定パラメータは測定イベントのヒステリシスパラメータ、測定イベントの臨界値パラメータ、測定結果を報告する時間間隔及びフィルタリングパラメータのうちの少なくとも１つを含む。
【０００７】
可能な実現方式では、前記端末装置のトラフィック情報は前記端末装置のトラフィックタイプ情報、前記端末装置のサービス品質情報及び前記端末装置のトラフィック品質情報のうちの少なくとも１つを含む。
【０００８】
可能な実現方式では、前記端末装置のトラフィックタイプ情報は音声トラフィック、データトラフィック、緊急トラフィック、低遅延トラフィック及びスモールデータトラフィックのうちの少なくとも１つを含む。
【０００９】
可能な実現方式では、前記端末装置のサービス品質情報は前記端末装置のトラフィックの遅延要件及び前記端末装置の伝送速度要件のうちの少なくとも１つを含む。
【００１０】
可能な実現方式では、前記端末装置のトラフィック品質情報は前記端末装置の現在トラフィックの遅延の大きさ及び前記現在トラフィックのスループットの大きさのうちの少なくとも１つを含む。
【００１１】
可能な実現方式では、前記特定情報は前記端末装置の現在トラフィックの遅延であり、前記端末装置が前記特定情報に基づき、セル測定過程における測定パラメータを調整することは、前記現在トラフィックの遅延が第１閾値よりも大きい場合、前記端末装置がセル測定過程におけるフィルタリング時間を短縮し、及び／又は測定結果を報告する時間間隔を短縮することを含む。
【００１２】
可能な実現方式では、前記特定情報は前記端末装置の現在トラフィックのスループットであり、前記端末装置が前記特定情報に基づき、セル測定過程における測定パラメータを調整することは、前記現在トラフィックのスループットが第２閾値よりも小さい場合、前記端末装置がセル測定過程におけるフィルタリング時間を短縮し、及び／又は測定結果を報告する時間間隔を短縮することを含む。
【００１３】
可能な実現方式では、前記特定情報は前記端末装置の装置情報であり、前記端末装置が前記特定情報に基づき、セル測定過程における測定パラメータを調整することは、前記端末装置が省電力タイプの端末装置である場合、前記端末装置がセル測定過程における臨界値パラメータを減少させ、及び／又は測定結果を報告する時間間隔を延長することを含む。
【００１４】
可能な実現方式では、前記端末装置が前記測定パラメータに基づいて測定動作を実行することは、前記端末装置が前記測定パラメータに基づき、前記端末装置の位置するサービスセル及び／又は隣接セルを測定すること、又は前記端末装置が測定結果に基づいて報告すること、又は前記端末装置が前記測定結果に基づいてセルを切り換えることを含む。
【００１５】
第２態様では、セル測定方法を提供し、ネットワーク装置が端末装置のトラフィック情報、前記端末装置の優先度情報及び前記端末装置の装置情報のうちの少なくとも１つを含む前記端末装置の特定情報を確定することと、前記ネットワーク装置が前記特定情報に基づき、セル測定過程における測定パラメータを調整することと、前記端末装置が前記測定パラメータに基づいて測定動作を実行するために、前記ネットワーク装置が前記端末装置へ前記測定パラメータを送信することと、を含む。
【００１６】
従って、ネットワーク装置は特定情報、例えば端末装置のトラフィック情報、端末装置の優先度情報及び端末装置の装置情報等に基づき、セル測定過程における測定パラメータを柔軟に調整して、調整後の測定パラメータを端末装置に指示することにより、該端末装置が様々な状況においてセル測定を行う際の測定ニーズ及び様々な端末装置がセル測定を行う際の測定ニーズをよりよく満足することができる。
【００１７】
可能な実現方式では、前記測定パラメータは測定イベントのヒステリシスパラメータ、測定イベントの臨界値パラメータ、測定結果を報告する時間間隔及びフィルタリングパラメータのうちの少なくとも１つを含む。
【００１８】
可能な実現方式では、前記端末装置のトラフィック情報は前記端末装置のトラフィックタイプ情報、前記端末装置のサービス品質情報及び前記端末装置のトラフィック品質情報のうちの少なくとも１つを含む。
【００１９】
可能な実現方式では、前記端末装置のトラフィックタイプ情報は音声トラフィック、データトラフィック、緊急トラフィック、低遅延トラフィック及びスモールデータトラフィックのうちの少なくとも１つを含む。
【００２０】
可能な実現方式では、前記端末装置のサービス品質情報は前記端末装置のトラフィックの遅延要件及び前記端末装置の伝送速度要件のうちの少なくとも１つを含む。
【００２１】
可能な実現方式では、前記端末装置のトラフィック品質情報は前記端末装置の現在トラフィックの遅延の大きさ及び前記現在トラフィックのスループットの大きさのうちの少なくとも１つを含む。
【００２２】
可能な実現方式では、前記特定情報は前記端末装置の現在トラフィックの遅延であり、前記ネットワーク装置が前記特定情報に基づき、セル測定過程における測定パラメータを調整することは、前記現在トラフィックの遅延が第１閾値よりも大きい場合、前記端末装置がセル測定過程におけるフィルタリング時間を短縮し、及び／又は測定結果を報告する時間間隔を短縮することを含む。
【００２３】
可能な実現方式では、前記特定情報は前記端末装置の現在トラフィックのスループットであり、前記ネットワーク装置が前記特定情報に基づき、セル測定過程における測定パラメータを調整することは、前記現在トラフィックのスループットが第２閾値よりも小さい場合、前記ネットワーク装置がセル測定過程におけるフィルタリング時間を短縮し、及び／又は測定結果を報告する時間間隔を短縮することを含む。
【００２４】
可能な実現方式では、前記特定情報は前記端末装置の装置情報であり、前記ネットワーク装置が前記特定情報に基づき、セル測定過程における測定パラメータを調整することは、前記端末装置が省電力タイプの端末装置である場合、前記ネットワーク装置がセル測定過程における臨界値パラメータを減少させ、及び／又は測定結果を報告する時間間隔を延長することを含む。
【００２５】
第３態様では、端末装置を提供し、該端末装置は上記第１態様又は第１態様の任意の選択可能な実現方式における端末装置の操作を実行することができる。具体的に、該端末装置は上記第１態様又は第１態様の任意の可能な実現方式における端末装置の操作を実行するためのモジュールユニットを備えてもよい。
【００２６】
第４態様では、ネットワーク装置を提供し、該ネットワーク装置は上記第２態様又は第２態様の任意の選択可能な実現方式におけるネットワーク装置の操作を実行することができる。具体的に、該ネットワーク装置は上記第２態様又は第２態様の任意の可能な実現方式におけるネットワーク装置の操作を実行するためのモジュールユニットを備えてもよい。
【００２７】
第５態様では、端末装置を提供し、該端末装置はプロセッサ、送受信機及びメモリを備える。該プロセッサ、送受信機及びメモリは内部接続経路によって通信する。該メモリは命令を記憶することに用いられ、該プロセッサは該メモリに記憶される命令を実行することに用いられる。該プロセッサが該メモリに記憶される命令を実行するとき、該実行によって該端末装置は第１態様又は第１態様の任意の可能な実現方式における方法を実行し、又は、該実行によって該端末装置は第３態様による端末装置を実現する。
【００２８】
第６態様では、ネットワーク装置を提供し、該ネットワーク装置はプロセッサ、送受信機及びメモリを備える。該プロセッサ、送受信機及びメモリは内部接続経路によって通信する。該メモリは命令を記憶することに用いられ、該プロセッサは該メモリに記憶される命令を実行することに用いられる。該プロセッサが該メモリに記憶される命令を実行するとき、該実行によって該ネットワーク装置は第２態様又は第２態様の任意の可能な実現方式における方法を実行し、又は、該実行によって該ネットワーク装置は第４態様によるネットワーク装置を実現する。
【００２９】
第７態様では、コンピュータ可読記憶媒体を提供し、前記コンピュータ可読記憶媒体にはプログラムが記憶され、前記プログラムによって端末装置は上記第１態様及びその様々な実現方式におけるいずれか１つのセル測定方法を実行する。
【００３０】
第８態様では、コンピュータ可読記憶媒体を提供し、前記コンピュータ可読記憶媒体にはプログラムが記憶され、前記プログラムによってネットワーク装置は上記第２態様及びその様々な実現方式におけるいずれか１つのセル測定方法を実行する。
【００３１】
第９態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第１態様又は第１態様の任意の可能な実現方式における方法を実現することができる。
【００３２】
第１０態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第２態様又は第２態様の任意の可能な実現方式における方法を実現することができる。
【００３３】
第１１態様では、命令を含むコンピュータプログラム製品を提供し、前記コンピュータプログラム製品がコンピュータにおいて実行されるとき、該コンピュータは上記第１態様又は第１態様の任意の可能な実現方式における方法を実行する。
【００３４】
第１２態様では、命令を含むコンピュータプログラム製品を提供し、前記コンピュータプログラム製品がコンピュータにおいて実行されるとき、該コンピュータは上記第２態様又は第２態様の任意の可能な実現方式における方法を実行する。
【図面の簡単な説明】
【００３５】
【図１】図１は本願の実施例の応用シーンの模式的なアーキテクチャ図である。
【図２】図２は本願の実施例のセル測定方法の模式的なフローチャートである。
【図３】図３は本願の実施例の測定イベントＡ１の測定模式図である。
【図４】図４は本願の実施例の測定イベントＡ２の測定模式図である。
【図５】図５は本願の実施例の測定イベントＡ３の測定模式図である。
【図６】図６は本願の実施例の測定イベントＡ４の測定模式図である。
【図７】図７は本願の実施例の測定イベントＡ５の測定模式図である。
【図８】図８は本願の実施例の測定イベントＢ１の測定模式図である。
【図９】図９は本願の実施例のセル測定方法の模式的なフローチャートである。
【図１０】図１０は本願の実施例のネットワーク装置の模式的なブロック図である。
【図１１】図１１は本願の実施例の端末装置の模式的なブロック図である。
【図１２】図１２は本願の実施例のネットワーク装置の構造模式図である。
【図１３】図１３は本願の実施例の端末装置の構造模式図である。
【図１４】図１４は本願の実施例のシステムチップの構造模式図である。
【発明を実施するための形態】
【００３６】
以下、図面を参照しながら、本願の実施例の技術案を説明する。
【００３７】
本願の実施例の技術案は様々な通信システム、例えば、モバイル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）及び将来の５Ｇ通信システム等に適用されてもよいと理解すべきである。
【００３８】
本願は端末装置と組み合わせて各実施例を説明する。端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）ネットワークにおける端末装置等であってもよい。
【００３９】
本願はネットワーク装置と組み合わせて各実施例を説明する。ネットワーク装置は端末装置と通信するための装置であってもよく、例えば、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は、該ネットワーク装置は中継局、アクセスポイント、車載装置、ウェアラブルデバイス及び将来の５Ｇネットワークにおけるネットワーク側装置又は将来発展するＰＬＭＮネットワークにおけるネットワーク側装置等であってもよい。
【００４０】
図１は本願の実施例の応用シーンの模式図である。図１における通信システムはネットワーク装置１０及び端末装置２０を備えてもよい。ネットワーク装置１０は端末装置２０に通信サービスを提供してコアネットワークにアクセスすることに用いられ、端末装置２０はネットワーク装置１０から送信された同期信号、放送信号等を検索することによりネットワークにアクセスすることができ、それによりネットワークとの通信を行う。図１に示される矢印は端末装置２０とネットワーク装置１０との間のセルラーリンクによるアップリンク／ダウンリンク伝送を示してもよい。
【００４１】
本願の実施例におけるネットワークは、公衆陸上移動網（ＰＬＭＮ：Ｐｕｂｌｉｃ  Ｌａｎｄ  Ｍｏｂｉｌｅ  Ｎｅｔｗｏｒｋ）又は端末間（Ｄ２Ｄ：Ｄｅｖｉｃｅ  ｔｏ  Ｄｅｖｉｃｅ）ネットワーク又はマシン対マシン／マン（Ｍ２Ｍ：Ｍａｃｈｉｎｅ  ｔｏ  Ｍａｃｈｉｎｅ／Ｍａｎ）ネットワーク又は他のネットワークを指してもよく、図１は列挙する概略模式図に過ぎず、ネットワークには更に他の端末装置が含まれてもよく、図１には図示しない。
【００４２】
図２は本願の実施例のセル測定方法の模式的なフローチャートである。図２に示される方法は端末装置により実行されてもよく、該端末装置は例えば図１に示される端末装置２０であってもよい。図２に示すように、該セル測定方法は、
端末装置が端末装置のトラフィック情報、端末装置の優先度情報及び端末装置の装置情報のうちの少なくとも１つを含む端末装置の特定情報を確定する２１０と、
端末装置が該特定情報に基づき、セル測定過程における測定パラメータを調整する２２０と、
端末装置が該測定パラメータに基づいて測定動作を実行する２３０と、を含む。
【００４３】
具体的に、端末装置はその自体の特定情報、例えば端末装置のトラフィック情報、端末装置の優先度情報及び端末装置の装置情報等を確定して、これらの特定情報と組み合わせて、セル測定過程における測定パラメータを調整することにより、調整後の測定パラメータに基づいて測定動作を実行する。端末装置の特定情報が変化した場合、端末装置はセル測定のための測定パラメータを調整することにより、該測定パラメータを端末装置の特定情報にマッチングさせることができ、それにより該端末装置が様々な状況においてセル測定を行う際の測定ニーズ及び様々な端末装置がセル測定を行う際の測定ニーズをよりよく満足する。
【００４４】
従って、端末装置は特定情報、例えば端末装置のトラフィック情報、端末装置の優先度情報及び端末装置の装置情報等に基づき、セル測定過程における測定パラメータを柔軟に調整することにより、該端末装置が様々な状況においてセル測定を行う際の測定ニーズ及び様々な端末装置がセル測定を行う際の測定ニーズをよりよく満足することができる。
【００４５】
選択肢として、端末装置が該測定パラメータに基づいて測定動作を実行することは、端末装置が該測定パラメータに基づき、端末装置の位置するサービスセル及び／又は隣接セルを測定すること、又は端末装置が測定結果に基づいて報告すること、又は端末装置が該測定結果に基づいてセルを切り換えることを含む。
【００４６】
選択肢として、該測定パラメータは測定イベントのヒステリシスパラメータ（Ｈｙｓ：Ｈｙｓｔｅｒｅｓｌｓ）、測定イベントの臨界値パラメータ（Ｔｈｒｅｓｈｏｌｄ）、測定結果を報告する時間間隔（Ｒｅｐｏｒｔ  Ｔｉｍｅ  Ｉｎｔｅｒｖａｌ）及びフィルタリングパラメータ（例えば、フィルタリング時間等）のうちの少なくとも１つを含む。
【００４７】
選択肢として、端末装置のトラフィック情報は前記端末装置のトラフィックタイプ情報、前記端末装置のサービス品質情報（ＱｏＳ：Ｑｕａｌｉｔｙ  ｏｆ  Ｓｅｒｖｉｃｅ）及び前記端末装置のトラフィック品質情報のうちの少なくとも１つを含む。
【００４８】
選択肢として、端末装置のトラフィックタイプ情報は音声トラフィック、データトラフィック、緊急トラフィック、低遅延トラフィック及びスモールデータトラフィックのうちの少なくとも１つを含む。
【００４９】
選択肢として、端末装置のサービス品質情報は前記端末装置のトラフィックの遅延要件及び前記端末装置の伝送速度要件のうちの少なくとも１つを含む。
【００５０】
選択肢として、端末装置のトラフィック品質情報は前記端末装置の現在トラフィックの遅延の大きさ及び前記現在トラフィックのスループットの大きさのうちの少なくとも１つを含む。
【００５１】
以下、図３〜図８を参照しながら上記測定パラメータの意味及びいくつかのトリガー可能な測定イベントを詳しく説明する。図３〜図７はシステム内測定を示す測定模式図であり、図８はシステム間測定を示す測定模式図である。システム内測定イベントはＡｘで示され、システム間測定イベントはＢｘで示される。
【００５２】
図３はイベントＡ１の測定模式図を示し、サービスセルの品質が１つの絶対臨界値（閾値）（Ｔｈｒｅｓｈｏｌｄ）よりも大きい場合に測定をトリガーし、該測定は一定の周期、即ち測定結果を報告する時間間隔で報告し、サービスセルの品質が該絶対臨界値よりも小さい場合に実行中の測定を停止する。即ち、イベント実行条件はＭｓ−Ｈｙｓ＞Ｔｈｒｅｓｈｏｌｄ（図３におけるトリガー時間を参照）であり、イベント停止条件はＭｓ＋Ｈｙｓ＜Ｔｈｒｅｓｈｏｌｄ（図３における停止時間を参照）であり、Ｍｓはサービスセルの測定結果（ＲＳＲＰを測定する場合、測定単位をｄＢｍとするが、ＲＳＲＱを測定する場合、測定単位をｄＢとする）であり、Ｈｙｓは該イベントＡ１のヒステリシスパラメータであり、単位をｄＢとし、値範囲を０〜３０ｄＢとし、Ｔｈｒｅｓｈｏｌｄは該イベントＡ１の臨界値パラメータであり、単位がＭｓと同様である。
【００５３】
図４はイベントＡ２の測定模式図を示し、サービスセルの品質が１つの絶対臨界値（閾値）よりも小さい場合に測定をトリガーし、該測定は一定の周期、即ち報告時間間隔で報告し、サービスセルの品質が該絶対臨界値よりも大きい場合に実行中の測定を停止する。即ち、イベント実行条件はＭｓ＋Ｈｙｓ＜Ｔｈｒｅｓｈｏｌｄ（図４におけるトリガー時間を参照）であり、イベント停止条件はＭｓ−Ｈｙｓ＞Ｔｈｒｅｓｈｏｌｄ（図４における停止時間を参照）であり、Ｍｓはサービスセルの測定結果（ＲＳＲＰを測定する場合、測定単位をｄＢｍとするが、ＲＳＲＱを測定する場合、測定単位をｄＢとする）であり、Ｈｙｓは該イベントＡ１のヒステリシスパラメータであり、単位をｄＢとし、値範囲を０〜３０ｄＢとし、Ｔｈｒｅｓｈｏｌｄは該イベントＡ１の臨界値パラメータであり、単位がＭｓと同様である。
【００５４】
図５はイベントＡ３の測定模式図を示し、隣接セルの品質がサービスセルの品質よりも１つの臨界値（閾値）大きい場合に周波数内又は周波数間のカバレッジに基づくセル切り換えを行ってもよい。即ち、イベント実行条件はＭｎ−Ｏｆｆｓｅｔ−Ｈｙｓ＞Ｍｓであり、イベント停止条件はＭｎ−Ｏｆｆｓｅｔ＋Ｈｙｓ＜Ｍｓであり、Ｏｆｆｓｅｔ＝Ｏｆｆｓｅｔ（Ａ３）＋Ｏｆｓ＋Ｏｃｓ−Ｏｆｎ−Ｏｃｎである。Ｍｎは隣接セルの測定結果であり、Ｏｆｎは隣接セルの周波数オフセットであり、Ｏｃｎは隣接セルのセルオフセットであり（隣接セルに設定しない場合、０にする）、Ｏｆｆｓｅｔ（Ａ３）は該イベントＡ３のオフセット値であり、Ｍｓはサービスセルの測定結果であり、Ｏｆｓはサービスセルの周波数オフセットであり、Ｏｃｓはサービスセルのセルオフセットであり（サービスセルに設定しない場合、０にする）、Ｈｙｓは該イベントＡ１のヒステリシスパラメータであり、且つＯｆｎ、Ｏｃｎ、Ｏｆｓ、Ｏｃｓ、Ｈｙｓ及びＯｆｆｓｅｔ（Ａ３）の単位をいずれもｄＢとする。
【００５５】
図６はイベントＡ４の測定模式図を示し、サービスセルの品質が１つの絶対臨界値（閾値）よりも大きい場合に負荷に基づくセル切り換えを行ってもよく、負荷バランスに使用されてもよく、高優先度に移されるセルの再選択と類似する。即ち、イベント実行条件はＭｎ＋Ｏｆｆｓｅｔ−Ｈｙｓ＞Ｔｈｒｅｓｈｏｌｄであり、イベント停止条件はＭｎ＋Ｏｆｆｓｅｔ＋Ｈｙｓ＜Ｔｈｒｅｓｈｏｌｄであり、Ｏｆｆｓｅｔ＝Ｏｆｎ＋Ｏｃｎである。
【００５６】
図７はイベントＡ５の測定模式図を示し、サービスセルの品質が１つの絶対臨界値（閾値１）よりも小さく且つ隣接セルの品質が１つの絶対臨界値（閾値２）よりも大きい場合、周波数内又は周波数間のカバレッジに基づくセル切り換えを行ってもよく、負荷バランスに使用されてもよく、低優先度に移されるセルの再選択と類似する。即ち、イベント実行条件はＭｓ＋Ｈｙｓ＜Ｔｈｒｅｓｈｏｌｄ  １であり、且つＭｎ＋Ｏｆｆｓｅｔ−Ｈｙｓ＞Ｔｈｒｅｓｈｏｌｄ  ２であり、イベント停止条件はＭｓ−Ｈｙｓ＞Ｔｈｒｅｓｈｏｌｄ  １又はＭｎ＋Ｏｆｆｓｅｔ＋Ｈｙｓ＜Ｔｈｒｅｓｈｏｌｄ  ２であり、その中、Ｏｆｆｓｅｔ＝Ｏｆｎ＋Ｏｃｎである。
【００５７】
図８はイベントＢ１の測定模式図を示し、隣接セルの品質が１つの絶対臨界値（閾値）よりも大きい場合に高優先度の無線アクセスタイプ（ＲＡＴ：Ｒａｄｉｏ  Ａｃｃｅｓｓ  Ｔｙｐｅ）のセルに対する測定をトリガーし、該測定は一定の周期、即ち報告時間間隔で報告し、サービスセルの品質が該絶対臨界値よりも大きい場合に実行中の測定を停止する。即ち、イベント実行条件はＭｎ＋Ｏｆｎ−Ｈｙｓ＞Ｔｈｒｅｓｈｏｌｄであり、イベント停止条件はＭｎ＋Ｏｆｎ＋Ｈｙｓ＜Ｔｈｒｅｓｈｏｌｄである。
【００５８】
２２０において、端末装置は関連する特定情報に基づき、セル測定過程における上記測定パラメータを調整して、２３０において調整後の測定パラメータに基づいて図３〜図８における測定イベント又は他の測定イベントをトリガー又は停止し、それによりサービスセル及び／又は隣接セルに対する測定、報告又は切り換えを実現する。端末装置は測定を完了した後、測定レポートの構成に応じて報告条件を評価することができ、報告条件を満たす場合、端末装置は測定結果を測定レポート（Ｍｅａｓｕｒｅｍｅｎｔ  Ｒｅｐｏｒｔ）メッセージに書き込んでネットワーク装置に送信する。
【００５９】
例えば、前記特定情報が前記端末装置の現在トラフィックの遅延である場合、２２０における前記端末装置が前記特定情報に基づき、セル測定過程における測定パラメータを調整することは、前記現在トラフィックの遅延が第１閾値よりも大きい場合、前記端末装置がセル測定過程におけるフィルタリング時間を短縮し、及び／又は測定結果を報告する時間間隔を短縮することを含む。
【００６０】
更に、例えば、前記特定情報が前記端末装置の現在トラフィックのスループットである場合、２２０における前記端末装置が前記特定情報に基づき、セル測定過程における測定パラメータを調整することは、前記現在トラフィックのスループットが第２閾値よりも小さい場合、前記端末装置がセル測定過程におけるフィルタリング時間を短縮し、及び／又は測定結果を報告する時間間隔を短縮することを含む。
【００６１】
更に、例えば、前記特定情報が前記端末装置の装置情報である場合、２２０における前記端末装置が前記特定情報に基づき、セル測定過程における測定パラメータを調整することは、前記端末装置が省電力タイプの端末装置である場合、前記端末装置がセル測定過程における臨界値パラメータを減少させ、及び／又は測定結果を報告する時間間隔を延長することを含む。
【００６２】
更に、例えば、前記端末装置が遅延に敏感であり、又は端末装置の優先度が比較的高く、又は端末装置の現在トラフィックの優先度が比較的高い場合、セル切り換えがデータ伝送に与えた影響を軽減するよう、端末装置は切り換えなくてもよい。
【００６３】
本願の様々な実施例では、上記各過程の番号の大きさは実行順序の前後を意味せず、各過程の実行順序はその機能及び内部論理によって決定されるべきであり、本願の実施例の実施過程を制限するためのものではないと理解すべきである。
【００６４】
図９は本願の実施例のセル測定方法の模式的なフローチャートである。図９に示される方法はネットワーク装置により実行されてもよく、該ネットワーク装置は例えば図１に示されるネットワーク装置１０であってもよい。図９に示すように、該セル測定方法は、
ネットワーク装置が端末装置のトラフィック情報、端末装置の優先度情報及び該端末装置の装置情報のうちの少なくとも１つを含む端末装置の特定情報を確定する９１０と、
ネットワーク装置が該特定情報に基づき、セル測定過程における測定パラメータを調整する９２０と、
端末装置が該測定パラメータに基づいて測定動作を実行するために、ネットワーク装置が該端末装置へ該測定パラメータを送信する９３０と、を含む。
【００６５】
具体的に、ネットワーク装置は端末装置の特定情報、例えば端末装置のトラフィック情報、端末装置の優先度情報及び端末装置の装置情報等を確定して、これらの装置情報と組み合わせて、セル測定過程における測定パラメータを調整することにより、調整後の測定パラメータに基づいて測定動作を実行する。端末装置の特定情報が変化した場合、ネットワーク装置は該端末装置のセル測定のための測定パラメータを調整することにより、該測定パラメータを端末装置の特定情報にマッチングさせることができ、それにより該端末装置が様々な状況においてセル測定を行う際の測定ニーズ及び様々な端末装置がセル測定を行う際の測定ニーズをよりよく満足する。
【００６６】
本願の実施例では、ネットワーク装置は特定情報、例えば端末装置のトラフィック情報、端末装置の優先度情報及び端末装置の装置情報等に基づき、セル測定過程における測定パラメータを柔軟に調整して、調整後の測定パラメータを端末装置に指示することにより、該端末装置が様々な状況においてセル測定を行う際の測定ニーズ及び様々な端末装置がセル測定を行う際の測定ニーズをよりよく満足することができる。
【００６７】
選択肢として、前記測定パラメータは測定イベントのヒステリシスパラメータ、測定イベントの臨界値パラメータ、測定結果を報告する時間間隔及びフィルタリングパラメータのうちの少なくとも１つを含む。
【００６８】
選択肢として、前記端末装置のトラフィック情報は前記端末装置のトラフィックタイプ情報、前記端末装置のサービス品質情報及び前記端末装置のトラフィック品質情報のうちの少なくとも１つを含む。
【００６９】
選択肢として、前記端末装置のトラフィックタイプ情報は音声トラフィック、データトラフィック、緊急トラフィック、低遅延トラフィック及びスモールデータトラフィックのうちの少なくとも１つを含む。
【００７０】
選択肢として、前記端末装置のサービス品質情報は前記端末装置のトラフィックの遅延要件及び前記端末装置の伝送速度要件のうちの少なくとも１つを含む。
【００７１】
選択肢として、前記端末装置のトラフィック品質情報は前記端末装置の現在トラフィックの遅延の大きさ及び前記現在トラフィックのスループットの大きさのうちの少なくとも１つを含む。
【００７２】
選択肢として、前記特定情報は前記端末装置の現在トラフィックの遅延であり、前記ネットワーク装置が前記特定情報に基づき、セル測定過程における測定パラメータを調整することは、前記現在トラフィックの遅延が第１閾値よりも大きい場合、前記端末装置がセル測定過程におけるフィルタリング時間を短縮し、及び／又は測定結果を報告する時間間隔を短縮することを含む。
【００７３】
選択肢として、前記特定情報は前記端末装置の現在トラフィックのスループットであり、前記ネットワーク装置が前記特定情報に基づき、セル測定過程における測定パラメータを調整することは、前記現在トラフィックのスループットが第２閾値よりも小さい場合、前記ネットワーク装置がセル測定過程におけるフィルタリング時間を短縮し、及び／又は測定結果を報告する時間間隔を短縮することを含む。
【００７４】
選択肢として、前記特定情報は前記端末装置の装置情報であり、前記ネットワーク装置が前記特定情報に基づき、セル測定過程における測定パラメータを調整することは、前記端末装置が省電力タイプの端末装置である場合、前記ネットワーク装置がセル測定過程における臨界値パラメータを減少させ、及び／又は測定結果を報告する時間間隔を延長することを含む。
【００７５】
選択肢として、前記端末装置が遅延に敏感であり、又は端末装置の優先度が比較的高く、又は端末装置の現在トラフィックの優先度が比較的高い場合、セル切り換えがデータ伝送に与えた影響を軽減するよう、ネットワーク装置は切り換えないように端末装置に指示してもよい。
【００７６】
ネットワーク装置が端末装置の特定パラメータに基づいて測定パラメータを調整する過程は、具体的に上記図２〜図８における端末装置についての関連説明を参照してもよく、簡潔のため、ここで繰り返して説明しないと理解すべきである。
【００７７】
本願の様々な実施例では、上記各過程の番号の大きさは実行順序の前後を意味せず、各過程の実行順序はその機能及び内部論理によって決定されるべきであり、本願の実施例の実施過程を制限するためのものではないと更に理解すべきである。
【００７８】
図１０は本願の実施例による端末装置１０００の模式的なブロック図である。図１０に示すように、該端末装置１０００は確定ユニット１０１０、処理ユニット１０２０及び測定ユニット１０３０を備え、
確定ユニット１０１０は、前記端末装置のトラフィック情報、前記端末装置の優先度情報及び前記端末装置の装置情報のうちの少なくとも１つを含む前記端末装置の特定情報を確定することに用いられ、
処理ユニット１０２０は、前記確定ユニット１０１０の確定した前記特定情報に基づき、セル測定過程における測定パラメータを調整することに用いられ、
測定ユニット１０３０は、前記処理ユニット１０２０の調整した前記測定パラメータに基づき、測定動作を実行することに用いられる。
【００７９】
従って、端末装置は特定情報、例えば端末装置のトラフィック情報、端末装置の優先度情報及び端末装置の装置情報等に基づき、セル測定過程における測定パラメータを柔軟に調整することにより、該端末装置が様々な状況においてセル測定を行う際の測定ニーズ及び様々な端末装置がセル測定を行う際の測定ニーズをよりよく満足することができる。
【００８０】
選択肢として、前記測定パラメータは測定イベントのヒステリシスパラメータ、測定イベントの臨界値パラメータ、測定結果を報告する時間間隔及びフィルタリングパラメータのうちの少なくとも１つを含む。
【００８１】
選択肢として、前記端末装置のトラフィック情報は前記端末装置のトラフィックタイプ情報、前記端末装置のサービス品質情報及び前記端末装置のトラフィック品質情報のうちの少なくとも１つを含む。
【００８２】
選択肢として、前記端末装置のトラフィックタイプ情報は音声トラフィック、データトラフィック、緊急トラフィック、低遅延トラフィック及びスモールデータトラフィックのうちの少なくとも１つを含む。
【００８３】
選択肢として、前記端末装置のサービス品質情報は前記端末装置のトラフィックの遅延要件及び前記端末装置の伝送速度要件のうちの少なくとも１つを含む。
【００８４】
選択肢として、前記端末装置のトラフィック品質情報は前記端末装置の現在トラフィックの遅延の大きさ及び前記現在トラフィックのスループットの大きさのうちの少なくとも１つを含む。
【００８５】
選択肢として、前記特定情報は前記端末装置の現在トラフィックの遅延であり、前記処理ユニット１０２０は具体的に、前記現在トラフィックの遅延が第１閾値よりも大きい場合、セル測定過程におけるフィルタリング時間を短縮し、及び／又は測定結果を報告する時間間隔を短縮することに用いられる。
【００８６】
選択肢として、前記特定情報は前記端末装置の現在トラフィックのスループットであり、前記処理ユニット１０２０は具体的に、前記現在トラフィックのスループットが第２閾値よりも小さい場合、セル測定過程におけるフィルタリング時間を短縮し、及び／又は測定結果を報告する時間間隔を短縮することに用いられる。
【００８７】
選択肢として、前記特定情報は前記端末装置の装置情報であり、前記処理ユニット１０２０は具体的に、前記端末装置が省電力タイプの端末装置である場合、セル測定過程における臨界値パラメータを減少させ、及び／又は測定結果を報告する時間間隔を延長することに用いられる。
【００８８】
選択肢として、前記測定ユニット１０３０は具体的に、前記測定パラメータに基づき、前記端末装置の位置するサービスセル及び／又は隣接セルを測定すること、又は測定結果に基づいて報告すること、又は前記測定結果に基づいてセルを切り換えることに用いられる。
【００８９】
図１１は本願の実施例によるネットワーク装置１１００の模式的なブロック図である。図１１に示すように、該ネットワーク装置１１００は確定ユニット１１１０、処理ユニット１１２０及び送信ユニット１１３０を備え、
確定ユニット１１１０は、端末装置のトラフィック情報、前記端末装置の優先度情報及び前記端末装置の装置情報のうちの少なくとも１つを含む前記端末装置の特定情報を確定することに用いられ、
処理ユニット１１２０は、前記確定ユニット１１１０の確定した前記特定情報に基づき、セル測定過程における測定パラメータを調整することに用いられ、
送信ユニット１１３０は、前記端末装置が前記測定パラメータに基づいて測定動作を実行するために、前記端末装置へ前記処理ユニット１１２０の調整した前記測定パラメータを送信することに用いられる。
【００９０】
従って、ネットワーク装置は特定情報、例えば端末装置のトラフィック情報、端末装置の優先度情報及び端末装置の装置情報等に基づき、セル測定過程における測定パラメータを柔軟に調整して、調整後の測定パラメータを端末装置に指示することにより、該端末装置が様々な状況においてセル測定を行う際の測定ニーズ及び様々な端末装置がセル測定を行う際の測定ニーズをよりよく満足することができる。
【００９１】
選択肢として、前記測定パラメータは測定イベントのヒステリシスパラメータ、測定イベントの臨界値パラメータ、測定結果を報告する時間間隔及びフィルタリングパラメータのうちの少なくとも１つを含む。
【００９２】
選択肢として、前記端末装置のトラフィック情報は前記端末装置のトラフィックタイプ情報、前記端末装置のサービス品質情報及び前記端末装置のトラフィック品質情報のうちの少なくとも１つを含む。
【００９３】
選択肢として、前記端末装置のトラフィックタイプ情報は音声トラフィック、データトラフィック、緊急トラフィック、低遅延トラフィック及びスモールデータトラフィックのうちの少なくとも１つを含む。
【００９４】
選択肢として、前記端末装置のサービス品質情報は前記端末装置のトラフィックの遅延要件及び前記端末装置の伝送速度要件のうちの少なくとも１つを含む。
【００９５】
選択肢として、前記端末装置のトラフィック品質情報は前記端末装置の現在トラフィックの遅延の大きさ及び前記現在トラフィックのスループットの大きさのうちの少なくとも１つを含む。
【００９６】
選択肢として、前記特定情報は前記端末装置の現在トラフィックの遅延であり、前記処理ユニット１１２０は具体的に、前記現在トラフィックの遅延が第１閾値よりも大きい場合、セル測定過程におけるフィルタリング時間を短縮し、及び／又は測定結果を報告する時間間隔を短縮することに用いられる。
【００９７】
選択肢として、前記特定情報は前記端末装置の現在トラフィックのスループットであり、前記処理ユニット１１２０は具体的に、前記現在トラフィックのスループットが第２閾値よりも小さい場合、セル測定過程におけるフィルタリング時間を短縮し、及び／又は測定結果を報告する時間間隔を短縮することに用いられる。
【００９８】
選択肢として、前記特定情報は前記端末装置の装置情報であり、前記処理ユニット１１２０は具体的に、前記端末装置が省電力タイプの端末装置である場合、セル測定過程における臨界値パラメータを減少させ、及び／又は測定結果を報告する時間間隔を延長することに用いられる。
【００９９】
図１２は本願の実施例による端末装置１２００の構造模式図である。図１２に示すように、該端末装置はプロセッサ１２１０、送受信機１２２０及びメモリ１２３０を備え、該プロセッサ１２１０、送受信機１２２０及びメモリ１２３０は内部接続経路によって通信する。該メモリ１２３０は命令を記憶することに用いられ、該送受信機１２２０が信号を受信し又は信号を送信するように制御するために、該プロセッサ１２１０は該メモリ１２３０に記憶される命令を実行することに用いられる。該プロセッサ１２１０は、
前記端末装置のトラフィック情報、前記端末装置の優先度情報及び前記端末装置の装置情報のうちの少なくとも１つを含む前記端末装置の特定情報を確定することと、
前記特定情報に基づき、セル測定過程における測定パラメータを調整することと、
前記測定パラメータに基づき、測定動作を実行することと、に用いられる。
【０１００】
従って、端末装置は特定情報、例えば端末装置のトラフィック情報、端末装置の優先度情報及び端末装置の装置情報等に基づき、セル測定過程における測定パラメータを柔軟に調整することにより、該端末装置が様々な状況においてセル測定を行う際の測定ニーズ及び様々な端末装置がセル測定を行う際の測定ニーズをよりよく満足することができる。
【０１０１】
選択肢として、前記測定パラメータは測定イベントのヒステリシスパラメータ、測定イベントの臨界値パラメータ、測定結果を報告する時間間隔及びフィルタリングパラメータのうちの少なくとも１つを含む。
【０１０２】
選択肢として、前記端末装置のトラフィック情報は前記端末装置のトラフィックタイプ情報、前記端末装置のサービス品質情報及び前記端末装置のトラフィック品質情報のうちの少なくとも１つを含む。
【０１０３】
選択肢として、前記端末装置のトラフィックタイプ情報は音声トラフィック、データトラフィック、緊急トラフィック、低遅延トラフィック及びスモールデータトラフィックのうちの少なくとも１つを含む。
【０１０４】
選択肢として、前記端末装置のサービス品質情報は前記端末装置のトラフィックの遅延要件及び前記端末装置の伝送速度要件のうちの少なくとも１つを含む。
【０１０５】
選択肢として、前記端末装置のトラフィック品質情報は前記端末装置の現在トラフィックの遅延の大きさ及び前記現在トラフィックのスループットの大きさのうちの少なくとも１つを含む。
【０１０６】
選択肢として、前記特定情報は前記端末装置の現在トラフィックの遅延であり、前記プロセッサ１２１０は具体的に、前記現在トラフィックの遅延が第１閾値よりも大きい場合、セル測定過程におけるフィルタリング時間を短縮し、及び／又は測定結果を報告する時間間隔を短縮することに用いられる。
【０１０７】
選択肢として、前記特定情報は前記端末装置の現在トラフィックのスループットであり、前記プロセッサ１２１０は具体的に、前記現在トラフィックのスループットが第２閾値よりも小さい場合、セル測定過程におけるフィルタリング時間を短縮し、及び／又は測定結果を報告する時間間隔を短縮することに用いられる。
【０１０８】
選択肢として、前記特定情報は前記端末装置の装置情報であり、前記プロセッサ１２１０は具体的に、前記端末装置が省電力タイプの端末装置である場合、セル測定過程における臨界値パラメータを減少させ、及び／又は測定結果を報告する時間間隔を延長することに用いられる。
【０１０９】
選択肢として、前記プロセッサ１２１０は具体的に、前記測定パラメータに基づき、前記端末装置の位置するサービスセル及び／又は隣接セルを測定すること、又は測定結果に基づいて報告すること、又は前記測定結果に基づいてセルを切り換えることに用いられる。
【０１１０】
本願の実施例では、該プロセッサ１２１０は中央処理装置（ＣＰＵ：Ｃｅｎｔｒａｌ  Ｐｒｏｃｅｓｓｉｎｇ  Ｕｎｉｔ）であってもよく、該プロセッサ１２１０は更に他の汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサはいかなる通常のプロセッサ等であってもよい。
【０１１１】
該メモリ１２３０は読み出し専用メモリ及びランダムアクセスメモリを含んでもよく、且つプロセッサ１２１０に命令及びデータを提供する。メモリ１２３０の一部は更に不揮発性ランダムアクセスメモリを含んでもよい。
【０１１２】
実現過程において、上記方法の各ステップはプロセッサ１２１０におけるハードウェアの集積論理回路又はソフトウェア形式の命令で完了してもよい。本願の実施例に開示される位置決め方法のステップはハードウェアプロセッサで実行して完了し、又はプロセッサ１２１０におけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１２３０に位置し、プロセッサ１２１０はメモリ１２３０における情報を読み取り、そのハードウェアと組み合わせて上記方法のステップを完了する。重複を避けるために、ここで詳細な説明は省略する。
【０１１３】
本願の実施例による端末装置１２００は上記方法２００における方法２００を実行するための端末装置及び本願の実施例による端末装置１０００に対応してもよく、且つ該端末装置１２００における各ユニット又はモジュールはそれぞれ上記方法２００における端末装置の実行する各動作又は処理過程を実行することに用いられ、ここで、重複を避けるために、詳細な説明は省略する。
【０１１４】
図１３は本願の実施例によるネットワーク装置１３００の構造模式図である。図１３に示すように、該ネットワーク装置はプロセッサ１３１０、送受信機１３２０及びメモリ１３３０を備え、該プロセッサ１３１０、送受信機１３２０及びメモリ１３３０は内部接続経路によって通信する。該メモリ１３３０は命令を記憶することに用いられ、該送受信機１３２０が信号を受信し又は信号を送信するように制御するために、該プロセッサ１３１０は該メモリ１３３０に記憶される命令を実行することに用いられる。該プロセッサ１３１０は、
端末装置のトラフィック情報、前記端末装置の優先度情報及び前記端末装置の装置情報のうちの少なくとも１つを含む前記端末装置の特定情報を確定することと、
前記特定情報に基づき、セル測定過程における測定パラメータを調整することと、に用いられ、
該送受信機１３２０は、前記端末装置が前記測定パラメータに基づいて測定動作を実行するために、前記端末装置へ前記測定パラメータを送信することに用いられる。
【０１１５】
選択肢として、前記測定パラメータは測定イベントのヒステリシスパラメータ、測定イベントの臨界値パラメータ、測定結果を報告する時間間隔及びフィルタリングパラメータのうちの少なくとも１つを含む。
【０１１６】
選択肢として、前記端末装置のトラフィック情報は前記端末装置のトラフィックタイプ情報、前記端末装置のサービス品質情報及び前記端末装置のトラフィック品質情報のうちの少なくとも１つを含む。
【０１１７】
選択肢として、前記端末装置のトラフィックタイプ情報は音声トラフィック、データトラフィック、緊急トラフィック、低遅延トラフィック及びスモールデータトラフィックのうちの少なくとも１つを含む。
【０１１８】
選択肢として、前記端末装置のサービス品質情報は前記端末装置のトラフィックの遅延要件及び前記端末装置の伝送速度要件のうちの少なくとも１つを含む。
【０１１９】
選択肢として、前記端末装置のトラフィック品質情報は前記端末装置の現在トラフィックの遅延の大きさ及び前記現在トラフィックのスループットの大きさのうちの少なくとも１つを含む。
【０１２０】
選択肢として、前記特定情報は前記端末装置の現在トラフィックの遅延であり、前記プロセッサ１３１０は具体的に、前記現在トラフィックの遅延が第１閾値よりも大きい場合、セル測定過程におけるフィルタリング時間を短縮し、及び／又は測定結果を報告する時間間隔を短縮することに用いられる。
【０１２１】
選択肢として、前記特定情報は前記端末装置の現在トラフィックのスループットであり、前記プロセッサ１３１０は具体的に、前記現在トラフィックのスループットが第２閾値よりも小さい場合、セル測定過程におけるフィルタリング時間を短縮し、及び／又は測定結果を報告する時間間隔を短縮することに用いられる。
【０１２２】
選択肢として、前記特定情報は前記端末装置の装置情報であり、前記プロセッサ１３１０は具体的に、前記端末装置が省電力タイプの端末装置である場合、セル測定過程における臨界値パラメータを減少させ、及び／又は測定結果を報告する時間間隔を延長することに用いられる。
【０１２３】
本願の実施例では、該プロセッサ１３１０は中央処理装置（ＣＰＵ：Ｃｅｎｔｒａｌ  Ｐｒｏｃｅｓｓｉｎｇ  Ｕｎｉｔ）であってもよく、該プロセッサ１３１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサはいかなる通常のプロセッサ等であってもよい。
【０１２４】
該メモリ１３３０は読み出し専用メモリ及びランダムアクセスメモリを含んでもよく、且つプロセッサ１３１０に命令及びデータを提供する。メモリ１３３０の一部は更に不揮発性ランダムアクセスメモリを含んでもよい。実現過程において、上記方法の各ステップはプロセッサ１３１０におけるハードウェアの集積論理回路又はソフトウェア形式の命令で完了してもよい。本願の実施例に開示される位置決め方法のステップはハードウェアプロセッサで実行して完了し、又はプロセッサ１３１０におけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１３３０に位置し、プロセッサ１３１０はメモリ１３３０における情報を読み取り、そのハードウェアと組み合わせて上記方法のステップを完了する。重複を避けるために、ここで詳細な説明は省略する。
【０１２５】
本願の実施例によるネットワーク装置１３００は上記方法９００における方法９００を実行するためのネットワーク装置及び本願の実施例によるネットワーク装置１１００に対応してもよく、且つ該ネットワーク装置１３００における各ユニット又はモジュールはそれぞれ上記方法９００におけるネットワーク装置の実行する各動作又は処理過程を実行することに用いられ、ここで、重複を避けるために、詳細な説明は省略する。
【０１２６】
図１４は本願の実施例のシステムチップの構造模式図である。図１４におけるシステムチップ１４００は入力インターフェース１４０１、出力インターフェース１４０２、少なくとも１つのプロセッサ１４０３、メモリ１４０４を備え、前記入力インターフェース１４０１、出力インターフェース１４０２、前記プロセッサ１４０３及びメモリ１４０４は内部接続経路によって接続される。前記プロセッサ１４０３は前記メモリ１４０４におけるコードを実行することに用いられる。
【０１２７】
選択肢として、前記コードが実行されるとき、前記プロセッサ１４０３は方法実施例における端末装置の実行する方法２００を実現することができる。簡潔のために、ここで繰り返して説明しない。
【０１２８】
選択肢として、前記コードが実行されるとき、前記プロセッサ１４０３は方法実施例におけるネットワーク装置の実行する方法９００を実現することができる。簡潔のために、ここで繰り返して説明しない。
【０１２９】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解できる。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１３０】
当業者であれば、説明を容易で簡単にするために、上記説明されるシステム、装置及びユニットの具体的な動作過程は、上記方法実施例における対応過程を参照してもよく、ここで繰り返して説明しないと明確に理解できる。
【０１３１】
本願によるいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３２】
分離部材として説明される該ユニットは物理的に分離してもよいし、物理的に分離しなくてもよく、ユニットとして表示される部材は物理ユニットであってもよいし、物理ユニットでなくてもよく、即ち、一箇所に位置してもよいし、複数のネットワークユニットに配置されてもよい。実際の必要に応じて、その一部又は全部のユニットを選択して本実施例案の目的を実現してもよい。
【０１３３】
また、本願の各実施例では、各機能ユニットは１つの監視ユニットに統合されてもよく、各ユニットは独立して物理的に存在してもよく、２つ又は２つ以上のユニットは１つのユニットに統合されてもよい。
【０１３４】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための複数の命令を含む。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３５】
以上は本願の具体的な実施形態に過ぎず、本願の実施例の保護範囲を制限するためのものではなく、当業者が本願の実施例に開示される技術的範囲内に容易に想到し得る変更や置換は、いずれも本願の保護範囲内に含まれるべきである。従って、本願の実施例の保護範囲は特許請求の範囲に準じるべきである。
【図１】
2020530669.tif 000003
【図２】
2020530669.tif 000004
【図３】
2020530669.tif 000005
【図４】
2020530669.tif 000006
【図５】
2020530669.tif 000007
【図６】
2020530669.tif 000008
【図７】
2020530669.tif 000009
【図８】
2020530669.tif 000010
【図９】
2020530669.tif 000011
【図１０】
2020530669.tif 000012
【図１１】
2020530669.tif 000013
【図１２】
2020530669.tif 000014
【図１３】
2020530669.tif 000015
【図１４】
2020530669.tif 000016
【手続補正書】
【提出日】令和2年6月5日(2020.6.5)
【手続補正１】
【補正対象書類名】明細書
【補正対象項目名】００２２
【補正方法】変更
【補正の内容】
【００２２】
可能な実現方式では、前記特定情報は前記端末装置の現在トラフィックの遅延であり、前記ネットワーク装置が前記特定情報に基づき、セル測定過程における測定パラメータを調整することは、前記現在トラフィックの遅延が第１閾値よりも大きい場合、前記ネットワーク装置がセル測定過程におけるフィルタリング時間を短縮し、及び／又は測定結果を報告する時間間隔を短縮することを含む。
【手続補正２】
【補正対象書類名】明細書
【補正対象項目名】００６５
【補正方法】変更
【補正の内容】
【００６５】
具体的に、ネットワーク装置は端末装置の特定情報、例えば端末装置のトラフィック情報、端末装置の優先度情報及び端末装置の装置情報等を確定して、これらの特定情報と組み合わせて、セル測定過程における測定パラメータを調整することにより、調整後の測定パラメータに基づいて測定動作を実行する。端末装置の特定情報が変化した場合、ネットワーク装置は該端末装置のセル測定のための測定パラメータを調整することにより、該測定パラメータを端末装置の特定情報にマッチングさせることができ、それにより該端末装置が様々な状況においてセル測定を行う際の測定ニーズ及び様々な端末装置がセル測定を行う際の測定ニーズをよりよく満足する。
【手続補正３】
【補正対象書類名】明細書
【補正対象項目名】００７２
【補正方法】変更
【補正の内容】
【００７２】
選択肢として、前記特定情報は前記端末装置の現在トラフィックの遅延であり、前記ネットワーク装置が前記特定情報に基づき、セル測定過程における測定パラメータを調整することは、前記現在トラフィックの遅延が第１閾値よりも大きい場合、前記ネットワーク装置がセル測定過程におけるフィルタリング時間を短縮し、及び／又は測定結果を報告する時間間隔を短縮することを含む。
【手続補正４】
【補正対象書類名】明細書
【補正対象項目名】０１１２
【補正方法】変更
【補正の内容】
【０１１２】
実現過程において、上記方法の各ステップはプロセッサ１２１０におけるハードウェアの集積論理回路又はソフトウェア形式の命令で完了してもよい。本願の実施例に開示されるセル測定方法のステップはハードウェアプロセッサで実行して完了し、又はプロセッサ１２１０におけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１２３０に位置し、プロセッサ１２１０はメモリ１２３０における情報を読み取り、そのハードウェアと組み合わせて上記方法のステップを完了する。重複を避けるために、ここで詳細な説明は省略する。
【手続補正５】
【補正対象書類名】明細書
【補正対象項目名】０１２４
【補正方法】変更
【補正の内容】
【０１２４】
該メモリ１３３０は読み出し専用メモリ及びランダムアクセスメモリを含んでもよく、且つプロセッサ１３１０に命令及びデータを提供する。メモリ１３３０の一部は更に不揮発性ランダムアクセスメモリを含んでもよい。実現過程において、上記方法の各ステップはプロセッサ１３１０におけるハードウェアの集積論理回路又はソフトウェア形式の命令で完了してもよい。本願の実施例に開示されるセル測定方法のステップはハードウェアプロセッサで実行して完了し、又はプロセッサ１３１０におけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１３３０に位置し、プロセッサ１３１０はメモリ１３３０における情報を読み取り、そのハードウェアと組み合わせて上記方法のステップを完了する。重複を避けるために、ここで詳細な説明は省略する。
【手続補正６】
【補正対象書類名】特許請求の範囲
【補正対象項目名】全文
【補正方法】変更
【補正の内容】
【特許請求の範囲】
【請求項１】
端末装置が前記端末装置のトラフィック情報、前記端末装置の優先度情報及び前記端末装置の装置情報のうちの少なくとも１つを含む前記端末装置の特定情報を確定することと、
前記端末装置が前記特定情報に基づき、セル測定過程における測定パラメータを調整することと、
前記端末装置が前記測定パラメータに基づき、測定動作を実行することと、を含むことを特徴とするセル測定方法。
【請求項２】
前記測定パラメータは、
測定イベントのヒステリシスパラメータ、測定イベントの臨界値パラメータ、測定結果を報告する時間間隔及びフィルタリングパラメータのうちの少なくとも１つを含むことを特徴とする請求項１に記載の方法。
【請求項３】
前記端末装置のトラフィック情報は、
前記端末装置のトラフィックタイプ情報、前記端末装置のサービス品質情報及び前記端末装置のトラフィック品質情報のうちの少なくとも１つを含むことを特徴とする請求項１又は２に記載の方法。
【請求項４】
前記端末装置のトラフィックタイプ情報は、
音声トラフィック、データトラフィック、緊急トラフィック、低遅延トラフィック及びスモールデータトラフィックのうちの少なくとも１つを含むことを特徴とする請求項３に記載の方法。
【請求項５】
前記端末装置のサービス品質情報は、
前記端末装置のトラフィックの遅延要件及び前記端末装置の伝送速度要件のうちの少なくとも１つを含むことを特徴とする請求項３又は４に記載の方法。
【請求項６】
前記端末装置のトラフィック品質情報は、
前記端末装置の現在トラフィックの遅延の大きさ及び前記現在トラフィックのスループットの大きさのうちの少なくとも１つを含むことを特徴とする請求項３〜５のいずれか１項に記載の方法。
【請求項７】
前記特定情報は前記端末装置の現在トラフィックの遅延であり、
前記端末装置が前記特定情報に基づき、セル測定過程における測定パラメータを調整することは、
前記現在トラフィックの遅延が第１閾値よりも大きい場合、前記端末装置がセル測定過程におけるフィルタリング時間を短縮し、及び／又は測定結果を報告する時間間隔を短縮することを含むことを特徴とする請求項１〜６のいずれか１項に記載の方法。
【請求項８】
前記特定情報は前記端末装置の現在トラフィックのスループットであり、
前記端末装置が前記特定情報に基づき、セル測定過程における測定パラメータを調整することは、
前記現在トラフィックのスループットが第２閾値よりも小さい場合、前記端末装置がセル測定過程におけるフィルタリング時間を短縮し、及び／又は測定結果を報告する時間間隔を短縮することを含むことを特徴とする請求項１〜６のいずれか１項に記載の方法。
【請求項９】
前記特定情報は前記端末装置の装置情報であり、
前記端末装置が前記特定情報に基づき、セル測定過程における測定パラメータを調整することは、
前記端末装置が省電力タイプの端末装置である場合、前記端末装置がセル測定過程における臨界値パラメータを減少させ、及び／又は測定結果を報告する時間間隔を延長することを含むことを特徴とする請求項１〜８のいずれか１項に記載の方法。
【請求項１０】
前記端末装置が前記測定パラメータに基づいて測定動作を実行することは、
前記端末装置が前記測定パラメータに基づき、前記端末装置の位置するサービスセル及び／又は隣接セルを測定すること、又は
前記端末装置が測定結果に基づいて報告すること、又は
前記端末装置が前記測定結果に基づいてセルを切り換えることを含むことを特徴とする請求項１〜９のいずれか１項に記載の方法。
【請求項１１】
ネットワーク装置が端末装置のトラフィック情報、前記端末装置の優先度情報及び前記端末装置の装置情報のうちの少なくとも１つを含む前記端末装置の特定情報を確定することと、
前記ネットワーク装置が前記特定情報に基づき、セル測定過程における測定パラメータを調整することと、
前記端末装置が前記測定パラメータに基づいて測定動作を実行するために、前記ネットワーク装置が前記端末装置へ前記測定パラメータを送信することと、を含むことを特徴とするセル測定方法。
【請求項１２】
前記測定パラメータは、
測定イベントのヒステリシスパラメータ、測定イベントの臨界値パラメータ、測定結果を報告する時間間隔及びフィルタリングパラメータのうちの少なくとも１つを含むことを特徴とする請求項１１に記載の方法。
【請求項１３】
前記端末装置のトラフィック情報は、
前記端末装置のトラフィックタイプ情報、前記端末装置のサービス品質情報及び前記端末装置のトラフィック品質情報のうちの少なくとも１つを含むことを特徴とする請求項１１又は１２に記載の方法。
【請求項１４】
端末装置であって、請求項１〜１０のいずれか１項に記載の方法を実行するように構成される端末装置。  
【請求項１５】
請求項１１〜１３のいずれか１項に記載の方法を実行するように構成されるネットワーク装置。
【手続補正７】
【補正対象書類名】図面
【補正対象項目名】図２
【補正方法】変更
【補正の内容】
【図２】
2020530669.tif 000017
【手続補正８】
【補正対象書類名】図面
【補正対象項目名】図７
【補正方法】変更
【補正の内容】
【図７】
2020530669.tif 000018
【国際調査報告】
2020530669.tif 000019
2020530669.tif 000020
2020530669.tif 000021
2020530669.tif 000022